【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
記録媒体にデータを記録する方法であって、
複数のデータフレームとアドレス情報をクラスタに記録することであって、
前記アドレス情報は、状態情報と以前の位置情報を表す複数のフラグビットを含み、
前記状態情報は、各データフレームの状態を示し、
前記以前の位置情報は、前記クラスタによって置換された以前のクラスタの位置を示すことを特徴とする方法。
【請求項２】
前記状態情報は、有効データ、パディングデータ、および、無効データの内のどのデータが前記各データフレームに含まれているかを示すことを特徴とする請求項１記載の方法。
【請求項３】
前記状態情報は、前記有効データが代替クラスタの中に置換される場合に、前記有効データが廃棄の許可されたリアルタイムデータであるかどうかを更に示すことを特徴とする請求項２記載の方法。
【請求項４】
前記状態情報は、有効データ、アップデートデータ、パディングデータ、および、無効データの内のどのデータが前記各データフレームに含まれているかを示すことを特徴とする請求項１記載の方法。
【請求項５】
前記アドレス情報は、計１６個のアドレスユニット番号と、各アドレスユニット番号のエラー訂正パリティを含むことを特徴とする請求項１〜４のいずれか１項に記載の方法。
【請求項６】
前記各データフレームの前記状態情報は、２つのフラグビットによって表されることを特徴とする請求項１〜５のいずれか１項に記載の方法。
【請求項７】
前記以前の位置情報は、前記以前のクラスタの第１のセクター番号を示すことを特徴とする請求項１〜６のいずれか１項に記載の方法。
【請求項８】
前記クラスタがクラスタの置き換えがないオリジナルクラスタである場合に、前記以前の位置情報は、ゼロに設定されることを特徴とする請求項１〜７のいずれか１項に記載の方法。
【請求項９】
前記アドレス情報は、第１の識別情報を含み、前記第１の識別情報によって、前記クラスタが欠陥領域検出によるオリジナルデータ又は論理的上書きによる論理的上書きデータを含むことが識別されることを特徴とする請求項１〜７のいずれか１項に記載の方法。
【請求項１０】
複数のフラグビットは、第２の識別情報を更に含み、前記第２の識別情報によって、前記欠陥領域検出又は前記論理的上書きによって前記クラスタがクラスタの置き換えがないオリジナルクラスタであること又は代替クラスタであることが識別されることを特徴とする請求項９記載の方法。
【請求項１１】
前記クラスタが前記オリジナルクラスタである場合に、前記以前の位置情報は、ゼロに設定されることを特徴とする請求項１０記載の方法。
【請求項１２】
前記アドレス情報が、第１の識別情報を更に含み、前記第１の識別情報によって、前記欠陥領域検出又は前記論理的上書きによって前記クラスタがクラスタの置き換えがないオリジナルクラスタであること又は代替クラスタであることが識別されることを特徴とする請求項１〜８のいずれか１項に記載の方法。
【請求項１３】
前記有効データが代替クラスタに置換された場合に、前記状態情報は、前記有効データが保存される一般データであること又は廃棄されるリアルタイムデータであることを更に示すことを特徴とする請求項２記載の方法。
【請求項１４】
記録媒体に記録されたデータを再生する方法であって、
前記クラスタから複数のデータフレームとアドレス情報を抽出することであって、
前記アドレス情報は、状態情報と以前の位置情報とを含み、
前記状態情報は、有効データ、パディングデータ、および、無効データの内のどのデータが前記各データフレームに含まれているかを示し、
前記以前の位置情報は、前記クラスタによって置換された以前のクラスタの位置を示すことを特徴とする方法。
【請求項１５】
前記状態情報によってデータフレーム内のデータが前記有効データを示すことが示される場合に、前記データフレームの全体が再生されることを特徴とする請求項１４記載の方法。
【請求項１６】
前記状態情報がデータフレーム内のデータが前記パディングデータであることを示す場合に、前記データフレーム内の前記データを廃棄することを更に含むことを特徴とする請求項１４記載の方法。
【請求項１７】
前記状態情報がデータフレーム内のデータが前記無効データであることを示す場合に、前記以前の位置情報によって示される前記以前のクラスタからデータを再生することを更に含むことを特徴とする請求項１４記載の方法。
【請求項１８】
記録媒体にデータを記録する装置であって、
前記記録媒体に記録するように構成されたピックアップと、
前記ピックアップに接続され、前記ピックアップを制御することにより、複数のデータフレームとアドレス情報とを前記記録媒体のクラスタに記録するように構成されたマイクロプロセッサと、
を備え、
前記アドレス情報は、状態情報と以前の位置情報とを含み、前記状態情報は、前記各データフレームの状態を示し、前記以前の位置情報は、前記クラスタによって置換された以前のクラスタの位置を示すことを特徴とする装置。
【請求項１９】
前記状態情報は、有効データ、パディングデータ、および、無効データの内のどのデータが前記各データフレームに含まれているかを示すことを特徴とする請求項１８記載の装置。
【請求項２０】
前記状態情報は、前記有効データが一般データであること又はリアルタイムデータであることを更に示すことを特徴とする請求項１９記載の装置。
【請求項２１】
前記状態情報は、有効データ、アップデートデータ、パディングデータ及び無効データの内のどのデータが前記各データフレームに含まれているかを示すことを特徴とする請求項１８記載の装置。
【請求項２２】
前記アドレス情報は、計１６個のアドレスユニット番号と、各アドレスユニット番号のエラー訂正パリティを含むことを特徴とする請求項１８〜２１のいずれか１項に記載の装置。
【請求項２３】
前記クラスタがクラスタの置き換えがないオリジナルクラスタである場合に、前記以前の位置情報は、ゼロに設定されることを特徴とする請求項１８〜２２のいずれか１項に記載の装置。
【請求項２４】
記録媒体に記録されたデータを再生する装置であって、
前記記録媒体からデータ再生するように構成されたピックアップと、
前記ピックアップに接続され、前記ピックアップを制御することによって、前記記録媒体のクラスタから複数のデータフレームとアドレス情報を抽出するように構成されたマイクロコンピュータであって、
前記アドレス情報は、状態情報と以前の位置情報を含み、
前記状態情報は、有効データ、パディングデータ及び無効データの内のどのデータが前記各データフレームに含まれているかを示し、
前記以前の位置情報は、前記クラスタによって再生される以前のクラスタの位置を示し、
前記状態情報に基づいて再生される前記各データフレーム内のデータを制御するように構成されたマイクロコンピュータと、
を備えることを特徴とする装置。
【請求項２５】
前記状態情報がデータフレーム内のデータが前記有効データであることを示す場合に、前記データフレームの全体が再生されることを特徴とする請求項２４記載の装置。
【請求項２６】
前記状態情報がデータフレーム内のデータが前記パディングデータであることを示す場合に、前記データフレーム内のデータが廃棄されることを特徴とする請求項２４記載の装置。
【請求項２７】
前記状態情報がデータフレーム内のデータが前記無効データであることを示す場合に、前記マイクロコンピュータは、前記ピックアップを制御することによって、前記以前の位置情報によって示される前記以前のクラスタからデータを再生することを特徴とする請求項２４記載の装置。
【請求項２８】
複数のクラスタを備え、
各クラスタは、
複数のデータフレームと、状態情報と以前の位置情報とを含むアドレス情報と、
各データフレームの状態を示す前記状態情報と、
前記クラスタによって置換される以前のクラスタの位置を示す前記以前の位置情報と、
を含むことを特徴とする記録媒体。
【請求項２９】
前記状態情報は、有効データ、パディングデータ及び無効データの内のどのデータが前記各データフレームに含まれているかを示すことを特徴とする請求項２８記載の記録媒体。
【請求項３０】
前記状態情報は、前記有効データが一般データであること又はリアルタイムデータであること更に示すことを特徴とする請求項２９記載の記録媒体。
【請求項３１】
前記状態情報は、有効データ、アップデートデータ、パディングデータ及び無効データの内のどのデータが前記各データフレームに含まれているかを示すことを特徴とする請求項２８記載の記録媒体。
【請求項３２】
前記アドレス情報は、計１６アドレスユニット番号と、前記各アドレスユニット番号のエラー訂正パリティを更に含むことを特徴とする請求項２８〜３１のいずれか１項に記載の記録媒体。
【請求項３３】
前記クラスタがクラスタの置き換えがないオリジナルクラスタである場合に、前記以前の位置情報は、ゼロに設定されることを特徴とする請求項２８〜３１のいずれか１項に記載の記録媒体。